(57)【要約】好適な実施形態の一例は、無線リンクモニタリング用の無線リンクモニタリング参照信号の構成と、イントラ周波数測定に使用される同期信号ブロックおよび／またはその他の参照信号の構成とに基づいて、無線リンクモニタリング測定、イントラ周波数測定、およびインター周波数測定間で測定間隔を共有することによって測定間隔共有方式が生成され、前記測定間隔共有方式に従って、前記無線リンクモニタリング測定、前記イントラ周波数測定、および前記インター周波数測定を含む測定が行われ、サービングセルの無線リンク品質に基づいて、無線リンクモニタリング測定、イントラ周波数測定、およびインター周波数測定間の前記測定間隔共有方式を変更する。【選択図】図2
2021503246.tif 000002
【特許請求の範囲】
【請求項１】
少なくとも１つのプロセッサと、コンピュータプログラムコードを有する少なくとも１つのメモリとを備え、前記少なくとも１つのプロセッサは、前記少なくとも１つのメモリおよび前記コンピュータプログラムコードによって、前記装置に少なくとも、
無線リンクモニタリング測定、イントラ周波数測定、およびインター周波数測定間で測定間隔を共有することによって測定間隔共有方式を生成することであって、前記生成することは、無線リンクモニタリング用の無線リンクモニタリング参照信号の構成と、イントラ周波数測定に使用される同期信号ブロックおよび／またはその他の参照信号の構成とに基づく、前記生成することと；
前記測定間隔共有方式に従って、前記無線リンクモニタリング測定、前記イントラ周波数測定、および前記インター周波数測定を含む測定を行うことと；
サービングセルの無線リンク品質に基づいて、無線リンクモニタリング測定、イントラ周波数測定、およびインター周波数測定間の前記測定間隔共有方式を変更することと；
を遂行させるように構成される、装置。
【請求項２】
前記少なくとも１つのプロセッサは、前記少なくとも１つのメモリおよび前記コンピュータプログラムコードによって、前記装置にさらに、
前記無線リンクモニタリングおよび前記イントラ周波数測定によって共有される測定間隔が前記インター周波数測定においては使用されないように前記測定間隔共有方式を生成することを実施させるように構成される、
請求項１に記載の装置。
【請求項３】
前記少なくとも１つのプロセッサは、前記少なくとも１つのメモリおよび前記コンピュータプログラムコードによって、前記装置にさらに、
前記無線リンクモニタリング用の前記無線リンクモニタリング参照信号およびイントラ周波数測定用の同期信号ブロックおよび／またはその他の参照信号が同じキャリア周波数にある場合、前記無線リンクモニタリング測定および前記イントラ周波数測定に同じ測定間隔が使用されるように前記測定間隔共有方式を生成することを実施させるように構成される、
請求項１または２に記載の装置。
【請求項４】
前記少なくとも１つのプロセッサは、前記少なくとも１つのメモリおよび前記コンピュータプログラムコードによって、前記装置にさらに、
同じ測定要件を前記無線リンクモニタリング測定および前記イントラ周波数測定の両方に適用することを実施させるように構成される、
請求項３に記載の装置。
【請求項５】
前記少なくとも１つのプロセッサは、前記少なくとも１つのメモリおよび前記コンピュータプログラムコードによって、前記装置にさらに、
無線リンクモニタリング用の前記無線リンクモニタリング参照信号およびイントラ周波数測定用の同期信号ブロックおよび／またはその他の参照信号が異なるキャリア周波数にある場合、前記無線リンクモニタリング測定および前記イントラ周波数測定が前記インター周波数測定に使用されていない測定間隔を共有するように前記測定間隔共有方式を生成することを実施させるように構成される、
請求項１または２に記載の装置。
【請求項６】
前記少なくとも１つのプロセッサは、前記少なくとも１つのメモリおよび前記コンピュータプログラムコードによって、前記装置にさらに、
前記リンク品質が十分でないと検出された場合、無線リンクモニタリング測定に使用される間隔の数を増加することを実施させるように構成される、
請求項１から５のいずれかに記載の装置。
【請求項７】
前記少なくとも１つのプロセッサは、前記少なくとも１つのメモリおよび前記コンピュータプログラムコードによって、前記装置にさらに、
前記リンク品質が十分でないと検出された場合、イントラ周波数測定用に可能な最大間隔数まで無線リンクモニタリング測定に使用される間隔の数を増加することを実施させるように構成される、
請求項１から５のいずれかに記載の装置。
【請求項８】
前記少なくとも１つのプロセッサは、前記少なくとも１つのメモリおよび前記コンピュータプログラムコードによって、前記装置にさらに、
前記リンク品質が十分でないと検出された場合、間隔共有をキャンセルし、全間隔を無線リンクモニタリングに使用することを実施させるように構成される、
請求項１から５のいずれかに記載の装置。
【請求項９】
前記少なくとも１つのプロセッサは、前記少なくとも１つのメモリおよび前記コンピュータプログラムコードによって、前記装置にさらに、
ネットワークに対して、前記リンク品質が十分でないと検出されたこと、および前記測定間隔共有方式が変更されたことを報告することを実施させるように構成される、
請求項１から８のいずれかに記載の装置。
【請求項１０】
前記少なくとも１つのプロセッサは、前記少なくとも１つのメモリおよび前記コンピュータプログラムコードによって、前記装置にさらに、
リンク品質がある閾値を下回るかどうかを判定することによって、前記リンク品質が十分でないと検出することを実施させるように構成される、
請求項１から９のいずれかに記載の装置。
【請求項１１】
前記少なくとも１つのプロセッサは、前記少なくとも１つのメモリおよび前記コンピュータプログラムコードによって、前記装置にさらに,
低無線リンク品質であることから前記測定間隔方式が変更された後、前記無線リンク品質が回復したと検出されると、前記低無線リンク品質の検出前に適用されていた測定間隔方式に戻すことを実施させるように構成される、
請求項１から１０のいずれかに記載の装置。
【請求項１２】
無線リンク品質を変更する際の前記間隔共有方式の変更は、ネットワーク構成可能である、請求項１から１０のいずれかに記載の装置。
【請求項１３】
無線リンクモニタリング測定、イントラ周波数測定、およびインター周波数測定間で測定間隔を共有することによって測定間隔共有方式を生成することであって、前記生成することは、無線リンクモニタリング用の無線リンクモニタリング参照信号の構成と、イントラ周波数測定に使用される同期信号ブロックおよび／またはその他の参照信号の構成とに基づく、前記生成することと；
前記測定間隔共有方式に従って、前記無線リンクモニタリング測定、前記イントラ周波数測定、および前記インター周波数測定を含む測定を行うことと；
サービングセルの無線リンク品質に基づいて、無線リンクモニタリング測定、イントラ周波数測定、およびインター周波数測定間の前記測定間隔共有方式を変更することと；
を含む方法。
【請求項１４】
前記無線リンクモニタリングおよび前記イントラ周波数測定によって共有される測定間隔が前記インター周波数測定においては使用されないように前記測定間隔共有方式を生成することをさらに含む、請求項１３に記載の方法。
【請求項１５】
前記無線リンクモニタリング用の前記無線リンクモニタリング参照信号およびイントラ周波数測定用の同期信号ブロックおよび／またはその他の参照信号が同じキャリア周波数にある場合、前記無線リンクモニタリング測定および前記イントラ周波数測定に同じ測定間隔が使用されるように前記測定間隔共有方式を生成することをさらに含む、請求項１３または１４に記載の方法。
【請求項１６】
同じ測定要件を前記無線リンクモニタリング測定および前記イントラ周波数測定の両方に適用することをさらに含む、請求項１５に記載の方法。
【請求項１７】
無線リンクモニタリング用の前記無線リンクモニタリング参照信号およびイントラ周波数測定用の同期信号ブロックおよび／またはその他の参照信号が異なるキャリア周波数にある場合、前記無線リンクモニタリング測定および前記イントラ周波数測定が前記インター周波数測定に使用されていない測定間隔を共有するように前記測定間隔共有方式を生成することをさらに含む、請求項１３または１４に記載の方法。
【請求項１８】
前記リンク品質が十分でないと検出された場合、無線リンクモニタリング測定に使用される間隔の数を増加することをさらに含む、請求項１３から１７のいずれかに記載の方法。
【請求項１９】
前記リンク品質が十分でないと検出された場合、イントラ周波数測定用に可能な最大間隔数まで無線リンクモニタリング測定に使用される間隔の数を増加することをさらに含む、請求項１３から１７のいずれかに記載の方法。
【請求項２０】
前記リンク品質が十分でないと検出された場合、間隔共有をキャンセルし、全間隔を無線リンクモニタリングに使用することをさらに含む、請求項１３から１７のいずれかに記載の方法。
【請求項２１】
ネットワークに対して、前記リンク品質が十分でないと検出されたこと、および前記測定間隔共有方式が変更されたことを報告することをさらに含む、請求項１３から２０のいずれかに記載の方法。
【請求項２２】
リンク品質がある閾値を下回るかどうかを判定することによって、前記リンク品質が十分でないと検出することをさらに含む、請求項１３から２１のいずれかに記載の方法。
【請求項２３】
低無線リンク品質であることから前記測定間隔方式が変更された後、前記無線リンク品質が回復したと検出されると、前記低無線リンク品質の検出前に適用されていた測定間隔方式に戻すことをさらに含む、請求項１３から１７のいずれかに記載の方法。
【請求項２４】
無線リンク品質を変更する際の前記間隔共有方式の変更は、ネットワーク構成可能である、請求項１３から２３のいずれかに記載の方法。
【請求項２５】
処理手段またはモジュール上で動作すると、請求項１３から２４のいずれかに記載の方法を実施するコード手段を備える、コンピュータプログラム製品。
【請求項２６】
前記コンピュータプログラム製品はコンピュータ可読媒体上に実施され、さらに／あるいは前記コンピュータプログラム製品は、コンピュータの内部メモリ内に直接展開可能であり、さらに／あるいはアップロード、ダウンロード、およびプッシュ手順の少なくとも１つによってネットワークを介して送信可能である、請求項２５に記載のコンピュータプログラム製品。
【発明の詳細な説明】
【技術分野】
【０００１】
本発明は、新無線（New Radio：ＮＲ）における無線リンクモニタリング（Radio Link Monitoring：ＲＬＭ）に対する間隔共有が可能な装置、方法、およびコンピュータプログラム製品に関する。
【関連する背景技術】
【０００２】
本明細書に使用される略語の意味を以下に示す。
３ＧＰＰ（3rd Generation Partnership Project）第３世代パートナーシッププロジェクト
ＢＷ（BandWidth）帯域幅
ＢＷＰ（BandWidth Part）帯域幅部分
ＣＧＩ（Cell Global Identifier）セルグローバル識別子
ＣＲＳ（Common Reference Signal）共通参照信号
ＣＳＩ−ＲＳ（Channel State Information Reference Signal）チャネル状態情報参照信号
ＤＲＸ（Discontinuous Reception）間欠受信
Ｅ−ＵＴＲＡ（Evolved Universal Terrestrial Radio Access）進化型ユニバーサル地上無線アクセス
Ｌ１（Layer 1）レイヤ１
Ｌ３（Layer 3）レイヤ３
ＬＴＥ（Long Term Evolution）ロングタームエボリューション（４Ｇ）
ＮＲ（New Radio）新無線
ＰＢＣＨ（Physical Broadcast CHannel）物理報知チャネル
Ｐセル（Primary Cell）プライマリセル
ＰＳセル（Primary SCell）プライマリＳセル
ＰＳＳ（Primary Synchronization Signal）プライマリ同期信号
ＲＬＭ（Radio Link Monitoring）無線リンクモニタリング
ＲＲＣ（Radio Resource Control）無線リソース制御
ＲＲＭ（Radio Resource Management）無線リソース管理
Ｓセル（Secondary Cell）セカンダリセル
ＳＳＢ（Synchronization Signal Block）同期信号ブロック
ＳＳＳ（Secondary Synchronization Signal）セカンダリ同期信号
ＵＥ（User Equipment）ユーザ機器
【０００３】
本発明の実施形態は、新無線（ＮＲ）に関するが、それに限定されるものではない。現在、ＲＡＮ４がＮＲについてのＲＬＭ要件を検討中である。ＲＡＮ１で合意に達し、ＮＲにおけるＲＬＭはＳＳＢまたはＣＳＩ−ＲＳに基づくことが可能になる。本願においては、Ｒ１５（リリース１５）のＥａｒｌｙ  Ｄｒｏｐ仕様に準じたＵＥ（すなわち、１２月１７日版のＲ１５  ＮＲ仕様に基づいて実施されたＵＥ）が、ＳＳＢに基づくＲＬＭにのみ対応可能であるため、ＳＳＢに基づくＲＬＭに注目する。
【０００４】
ＲＡＮ４＃８４ｂｉｓにおいて、ＲＡＮ４は、ＲＬＭを実行するのにＵＥに測定間隔が必要になり得るか、また、対応する要件を定義すべきかを議論した。ＵＥは、ＲＬＭ用のＳＳＢを含まない可能性のある帯域幅部分（ＢＷＰ）で動作するよう構成され得るため、所定のネットワーク条件下では間隔が必要であり、ＵＥ要件（例えば、ＵＥがリンク品質変化を検出するための評価時間）が必要であるというのがＲＡＮ４の共通認識である。
【０００５】
ＮＲ  ＲＬＭは、ＬＴＥ  ＲＬＭと同様の高レベルにある。特に、ＵＥがＬ１においてリンク品質をモニタリングし、リンク品質が所定の閾値（Ｑｏｕｔ）未満であれば、Ｌ１はＬ３に非同期を示す。その後、Ｌ３（ＬＴＥ  Ｔ３１０）においてタイマが始動して、リンクが回復できるようにする。すなわち、タイマが切れる前に、ＵＥによりリンク品質が別の閾値（Ｑｉｎ）を超えたことが観察されると、ＵＥはリンクが回復したと見なして、通常モードに戻る。そうでなければ（タイマ切れとなると）、ＲＬＦ（無線リンク障害）と見なして、例えば再構築のような予め定義された動作がトリガされる。
【０００６】
ＲＬＭにおいて測定間隔を導入することは、ＮＲにおける新規の課題である。ＬＴＥにおけるＲＬＭは、セルＢＷ全体にわたって送信されるＣＲＳに基づくためである（したがって、ＵＥはＣＲＳモニタリングのために再調整しない）。この課題は、ＮＲにおけるイントラ周波数ＲＲＭ測定も、同じ理由で間隔に依存し得るという事実から、より複雑性を帯びる。例えば、ＵＥはイントラ周波数測定用のＳＳＢを含まない可能性のある帯域幅部分（ＢＷＰ）で動作するように構成され得る。
【摘要】
【０００７】
本発明の実施形態は、この状況に対応したもので、上記シナリオにおいてＵＥのＲＬＭ測定を可能にすることを目的とする。
【０００８】
本発明の第１の態様によると装置が提供される。この装置は、少なくとも１つのプロセッサと、コンピュータプログラムコードを有する少なくとも１つのメモリと、を備え、前記少なくとも１つのプロセッサは、前記少なくとも１つのメモリおよび前記コンピュータプログラムコードによって、前記装置に少なくとも、無線リンクモニタリング用の無線リンクモニタリング参照信号の構成と、イントラ周波数測定に使用される同期信号ブロックおよび／またはその他の参照信号の構成とに基づいて、無線リンクモニタリング測定、イントラ周波数測定、およびインター周波数測定間で測定間隔を共有することによって測定間隔共有方式を生成することと、前記測定間隔共有方式に従って、前記無線リンクモニタリング測定、前記イントラ周波数測定、および前記インター周波数測定を含む測定を行うことと、サービングセルの無線リンク品質に基づいて、無線リンクモニタリング測定、イントラ周波数測定、およびインター周波数測定間の前記測定間隔共有方式を変更することと、を実施させるように構成される。
【０００９】
本発明の第２の態様によると方法が提供される。この方法は、
無線リンクモニタリング用の無線リンクモニタリング参照信号の構成と、イントラ周波数測定に使用される同期信号ブロックおよび／またはその他の参照信号の構成とに基づいて、無線リンクモニタリング測定、イントラ周波数測定、およびインター周波数測定間で測定間隔を共有することによって測定間隔共有方式を生成することと、
前記測定間隔共有方式に従って、前記無線リンクモニタリング測定、前記イントラ周波数測定、および前記インター周波数測定を含む測定を行うことと、
サービングセルの無線リンク品質に基づいて、無線リンクモニタリング測定、イントラ周波数測定、およびインター周波数測定間の前記測定間隔共有方式を変更することと、
を含む。
【００１０】
第１の態様および第２の態様は、以下のように変形してもよい。例えば、前記測定間隔共有方式は、前記無線リンクモニタリングおよび前記イントラ周波数測定によって共有される測定間隔が前記インター周波数測定においては使用されないように生成されてもよい。
【００１１】
前記測定間隔共有方式は、前記無線リンクモニタリング用の前記無線リンクモニタリング参照信号およびイントラ周波数測定用の同期信号ブロックおよび／またはその他の参照信号が同じキャリア周波数にある場合、前記無線リンクモニタリング測定および前記イントラ周波数測定に同じ測定間隔が使用されるように生成されてもよい。
【００１２】
さらに、同じ測定要件が前記無線リンクモニタリング測定および前記イントラ周波数測定の両方に適用されてもよい。
【００１３】
前記測定間隔共有方式は、無線リンクモニタリング用の前記無線リンクモニタリング参照信号およびイントラ周波数測定用の同期信号ブロックおよび／またはその他の参照信号が異なるキャリア周波数にある場合、前記無線リンクモニタリング測定および前記イントラ周波数測定が前記インター周波数測定に使用されていない測定間隔を共有するように生成されてもよい。
【００１４】
無線リンクモニタリング測定に使用される間隔の数は、前記リンク品質が十分でないと検出された場合、増加されてもよい。
【００１５】
無線リンクモニタリング測定に使用される間隔の数は、前記リンク品質が十分でないと検出された場合、イントラ周波数測定用に可能な最大間隔数まで増加されてもよい。
【００１６】
前記リンク品質が十分でないと検出された場合、間隔共有はキャンセルされ、全間隔が無線リンクモニタリングに使用されてもよい。
【００１７】
ネットワークに対して、前記リンク品質が十分でないと検出されたこと、および前記測定間隔共有方式が変更されたことが報告されてもよい。
【００１８】
リンク品質がある閾値を下回るかどうかを判定することによって、前記リンク品質が十分でないと検出されてもよい。
【００１９】
さらに、低無線リンク品質であることから前記測定間隔方式が変更された後、前記無線リンク品質が回復したと検出されると、前記低無線リンク品質の検出前に適用されていた測定間隔方式に戻してもよい。
【００２０】
無線リンク品質を変更する際の前記間隔共有方式の変更は、ネットワーク構成可能であってもよい。
【００２１】
本発明の第３の態様によるとコンピュータプログラム製品が提供される。このコンピュータプログラム製品は、処理手段またはモジュール上で動作すると、第２の態様および／またはその変形による方法を実施するコード手段を備える。前記コンピュータプログラム製品はコンピュータ可読媒体上に実施されてもよく、さらに／あるいは前記コンピュータプログラム製品は、コンピュータの内部メモリ内に直接展開可能であってもよいし、さらに／あるいはアップロード、ダウンロード、およびプッシュ手順の少なくとも１つによってネットワークを介して送信可能であってもよい。
【００２２】
本発明の第４の態様によると装置が提供される。この装置は、
無線リンクモニタリング用の無線リンクモニタリング参照信号の構成と、イントラ周波数測定に使用される同期信号ブロックおよび／またはその他の参照信号の構成とに基づいて、無線リンクモニタリング測定、イントラ周波数測定、およびインター周波数測定間で測定間隔を共有することによって測定間隔共有方式を生成する手段と、
前記測定間隔共有方式に従って、前記無線リンクモニタリング測定、前記イントラ周波数測定、および前記インター周波数測定を含む測定を行う手段と、
サービングセルの無線リンク品質に基づいて、無線リンクモニタリング測定、イントラ周波数測定、およびインター周波数測定間の前記測定間隔共有方式を変更する手段と、
を備える。
【図面の簡単な説明】
【００２３】
これらや他の目的、特徴、詳細、利点は、添付の図面と合わせて本発明の実施形態の以下の詳細な説明からより明らかとなろう。
【図１】本発明の実施形態に係るＵＥを示す。
【図２】本発明の実施形態に係るＵＥにより実施される手順のフローチャートを示す。
【実施形態の詳細説明】
【００２４】
以下に、本発明の実施形態を説明する。ただし、以下の説明は単に例示のために供されるものであり、説明された実施形態は本発明をこれらに限定すると解されるものではない。
【００２５】
実施形態を説明する前に、本願に関連する問題点をさらに詳細に説明する。
【００２６】
上述のように、ＲＬＭにおいて測定間隔を導入することは、ＮＲの新たな課題である。さらに、ＮＲにおいてはイントラ周波数ＲＲＭ測定も間隔に依存し得る。ＲＡＮ４＃８４ｂｉｓにおいては、すでにイントラおよびインター周波数測定間で測定間隔が共有されること、共有係数がネットワークにより構成可能であることが合意済みである。
【００２７】
したがって、ＲＬＭも間隔に基づき、複数の目的（イントラ周波数、インター周波数測定、およびＲＬＭ測定）で限られた数の間隔を共有する必要がある場合に、如何に間隔を共有すべきかが解決すべき問題となる。
【００２８】
ＬＴＥにおいて、無線リンク品質向上時にタイミングよく回復を実現可能とするためには、ＵＥがＤＲＸ状態であったとしても、Ｑｏｕｔメッセージが上位レイヤ（ＲＲＣ）に送信されると、ＲＬＭ要件は常に非ＤＲＸに基づく（ＤＲＸ状態におけるＵＥモニタリング要件は、非ＤＲ要件ほど厳しくないため、省電力が実現可能となる）。
【００２９】
これは、ＴＳ  ３６．１３３（Ｖ１５．０．０（２０１７−０９））の７．６．２．２項から導かれる。例えば、以下のとおり。
（引用開始）７.６.２.２    ＤＲＸ使用時の最低要件
【００３０】
ＤＲＸが使用される場合、表７．６．２．２−１に規定のＱｏｕｔ評価期間（ＴＥｖａｌｕａｔｅ＿Ｑｏｕｔ＿ＤＲＸ）およびＱｉｎ評価期間（ＴＥｖａｌｕａｔｅ＿Ｑｉｎ＿ＤＲＸ）が使用される。
【００３１】
より高位レイヤのシグナリングが、制限された無線リンクモニタリングに対して特定のサブフレームを示す場合、表７．６．２．２−２に規定のＱｏｕｔ評価期間（ＴＥｖａｌｕａｔｅ＿Ｑｏｕｔ＿ＤＲＸ）およびＱｉｎ評価期間（ＴＥｖａｌｕａｔｅ＿Ｑｉｎ＿ＤＲＸ）が使用される。
【００３２】
ｅＤＲＸ＿ＣＯＮＮサイクルが使用される場合、表７．６．２．２−３に規定のＱｏｕｔ評価期間（ＴＥｖａｌｕａｔｅ＿Ｑｏｕｔ＿ＤＲＸ）およびＱｉｎ評価期間（ＴＥｖａｌｕａｔｅ＿Ｑｉｎ＿ＤＲＸ）が使用される。
【００３３】
ＵＥがＥ−ＵＴＲＡイントラ周波数セルまたはＥ−ＵＴＲＡインター周波数セルのＣＧＩ特定用の自律的間隔を生成し、より高位レイヤのシグナリングが、制限された無線リンクモニタリングに対して特定のサブフレームを示す場合も、ＵＥは無線リンクモニタリングを実行する。この場合、表７．６．２．２−２に規定のＱｏｕｔ評価期間（ＴＥｖａｌｕａｔｅ＿Ｑｏｕｔ＿ＤＲＸ）およびＱｉｎ評価期間（ＴＥｖａｌｕａｔｅ＿Ｑｉｎ＿ＤＲＸ）が使用される注１（注１：このＲＬＭ要件は、テスト不要である）。
【００３４】
直近のＴＥｖａｌｕａｔｅ＿Ｑｏｕｔ＿ＤＲＸ（複数可）期間にわたって推測されたＰセルまたはＰＳセルのダウンリンク無線リンク品質が、閾値Ｑｏｕｔを下回ると、ＵＥのレイヤ１は、ＴＥｖａｌｕａｔｅ＿Ｑｏｕｔ＿ＤＲＸ（複数可）評価期間内に、ＰセルまたはＰＳセルについての非同期標示を、より高位のレイヤに送信する。ＴＳ  ３６．３３１に規定のように、レイヤ３フィルタが、この非同期標示に適用される。
【００３５】
直近のＴＥｖａｌｕａｔｅ＿Ｑｉｎ＿ＤＲＸ（複数可）期間にわたって推定されたＰセルまたはＰＳセルのダウンリンク無線リンク品質が、閾値Ｑｉｎを超えると、ＵＥのレイヤ１は、ＴＥｖａｌｕａｔｅ＿Ｑｉｎ＿ＤＲＸ（複数可）評価期間内に、ＰセルまたはＰＳセルについての同期標示を、より高位のレイヤに送信する。ＴＳ  ３６．３３１に規定のように、レイヤ３フィルタが、この同期標示に適用される。
【００３６】
ＰセルまたはＰＳセルの非同期および同期評価は、３ＧＰＰ  ＴＳ  ３６．２１３の節４．２．１に規定のとおりに実行される。ＤＲＸが使用される場合、レイヤ１からの２つの連続した標示は、少なくもｍａｘ（１０ｍ秒、ＤＲＸ＿ｃｙｃｌｅ＿ｌｅｎｇｔｈ）だけ離間する。ＵＥがデュアルコネクティビティで構成される場合、レイヤ１からの２つの連続した標示は、Ｐセルに関して少なくともｍａｘ（１０ｍ秒、ＭＣＧ＿ＤＲＸ＿ｃｙｃｌｅ＿ｌｅｎｇｔｈ）だけ離間し、ＰＳセルに関して少なくともｍａｘ（１０ｍ秒、ＳＣＧ＿ＤＲＸ＿ｃｙｃｌｅ＿ｌｅｎｇｔｈ）だけ離間する。ｅＤＲＸ＿ＣＯＮＮが使用される場合、レイヤ１からの２つの連続した標示は、少なくともｍａｘ（１０ｍ秒、ｅＤＲＸ＿ＣＯＮＮ＿ｃｙｃｌｅ＿ｌｅｎｇｔｈ）だけ離間する。
【００３７】
ＴＳ  ３６.３３１の節５.３.１１に規定のとおり、Ｔ３１０タイマまたはＴ３１３タイマが始動すると、ＵＥは、Ｔ３１０タイマまたはＴ３１３タイマが切れる、または止まるまで、評価期間および非ＤＲＸモードに対応するレイヤ１標示インターバルを使用して、ＰセルまたはＰＳセルのリンクの回復をモニタリングする。
【００３８】
ＵＥの送信機電力は、Ｔ３１０タイマ切れの４０ｍ秒以内に停止する。ＰＳセルが構成された場合、ＴＳ  ３６．３３１の節５．３．１１に規定のとおり、その送信機電力はＴ３１３タイマ切れの４０ｍ秒以内に停止する。ＵＥは、Ｔ３１０切れ後、ＦＳ３  ＳセルのいずれにもＬＢＴ手順を実行しない。（引用終了）
【００３９】
本発明の実施形態の目的は、ＲＬＭ測定に対して測定間隔を共有することである。
【００４０】
以下に、図１および２を参照して、本発明の実施形態の全体的概要を説明する。
【００４１】
特に、図１は、本実施形態に係る装置の例としてＵＥ１を示す。ＵＥ１は、少なくとも１つのプロセッサ１１と、コンピュータプログラムコードを含む少なくとも１つのメモリ１２とを備える。少なくとも１つのプロセッサ１１は、少なくとも１つのメモリ１２およびコンピュータプログラムコードによって、前記装置に少なくとも、無線リンクモニタリング用の無線リンクモニタリング参照信号の構成と、イントラ周波数測定に使用される同期信号ブロックおよび／またはその他の参照信号の構成とに基づいて、無線リンクモニタリング測定、イントラ周波数測定、およびインター周波数測定間で測定間隔を共有することによって測定間隔共有方式を生成することと、前記測定間隔共有方式に従って、前記無線リンクモニタリング測定、前記イントラ周波数測定、および前記インター周波数測定を含む測定を行うことと、を実施させるように構成される。
【００４２】
すなわち、図２に示すフローチャートを参照すると、ステップＳ１において、無線リンクモニタリング用の無線リンクモニタリング参照信号の構成と、イントラ周波数測定に使用される同期信号ブロックおよび／またはその他の参照信号の構成とに基づいて、無線リンクモニタリング測定、イントラ周波数測定、およびインター周波数測定間で測定間隔を共有することによって測定間隔共有方式が生成される。ステップＳ２において、前記測定間隔共有方式に従って、前記無線リンクモニタリング測定、前記イントラ周波数測定、および前記インター周波数測定を含む測定が行われる。
【００４３】
したがって、本発明の実施形態によると、無線リンクモニタリング（ＲＬＭ）測定およびイントラ周波数測定により測定間隔が共有される測定共有方式が実現される。すなわち、各測定間隔が無線リンクモニタリング測定およびイントラ周波数測定の両方に使用される。このようにして、多数の測定間隔が、同時に２種類の測定に利用可能である。したがって、利用可能な測定間隔が、効率的に使用可能となる。
【００４４】
ＲＬＭおよびイントラ周波数測定により共有されない測定間隔は、インター周波数測定に使用されてもよい。言い換えると、測定間隔は、インター周波数測定に使用されない場合は、ＲＬＭおよびイントラ周波数測定により共有されるように構成されてもよい。
【００４５】
さらに、サービングセルの無線リンク品質に基づいて、無線リンクモニタリング測定、イントラ周波数測定、およびインター周波数測定間の前記測定間隔共有方式を変更してもよい。
【００４６】
ＵＥ１はさらに、プロセッサ１１に接続される入出力（Ｉ／Ｏ）部または機能部（インタフェース）１３をさらに有してもよい。特に、Ｉ／Ｏユニットまたは機能部１３は、送受信部を有してもよい。
【００４７】
なお、ＳＳＢ（同期信号ブロック）は、プライマリ同期信号（ＰＳＳ）と、セカンダリ同期信号（ＳＳＳ）とを、物理報知チャネル（ＰＢＣＨ）とともに送信する。ブロックは、スロット毎に、一定のインターバルで、固定のスロット位置において送信される。
【００４８】
イントラ周波数測定は、（１または複数の）サービングセルの、（１または複数の）ダウンリンクキャリア周波数で実行される。
【００４９】
インター周波数測定は、（１または複数の）サービングセルの、（１または複数の）ダウンリンクキャリア周波数の内の任意のものと異なる周波数で実行される。
【００５０】
さらに、ＲＬＭ測定は、ＳＳＢまたはその他の参照信号として構成可能なＲＬＭ参照信号に対して実行される。したがって、本願の実施形態は、ＳＳＢに基づくＲＬＭのみに限定されないことが理解されよう。イントラ周波数測定もＳＳＢまたはその他の参照信号に基づいて構成可能であるが、ＲＬＭおよびイントラ周波数測定に使用される信号は個別に構成される。
【００５１】
以下に、本発明のいくつかのさらに詳細な実施形態を説明する。
【００５２】
詳細な実施形態では、イントラ周波数、インター周波数、およびＲＬＭに対して妥当な測定性能を実現可能とする測定間隔共有方式が提案される。これは以下の原則を含む。
【００５３】
まず、間隔共有の態様を説明する。
ＲＬＭとイントラ周波数測定とに対するＳＳＢが同じであれば、または一方の目的に対するＳＳＢが他方に対するＳＳＢのサブセットであれば（すなわち、ＲＬＭ測定およびイントラ周波数測定の一方に対するＳＳＢまたは参照信号が、同一のキャリア周波数にあり、単一の測定間隔パターンで測定可能であれば）、同じ間隔が両目的に使用され、同じ測定要件が両方に適用される。
【００５４】
ＲＬＭおよびイントラ周波数測定用のＳＳＢが異なるキャリア周波数にあれば（しかし、ＲＬＭおよびイントラ周波数測定用のＳＳＢの群が単一の間隔パターンで網羅できれば）、ＲＬＭおよびイントラ周波数測定が、インター周波数測定に使用されない間隔を均等に共有する。これは、測定性能が２倍向上することを意味する。
【００５５】
言い換えると、共有された測定間隔がＲＬＭおよびイントラ周波数測定の両方で使用可能であるので、２種類の測定で使用される間隔の数が低減される。
【００５６】
Ｌ１が非同期検出を示すと（例えば、リンク品質が所定の閾値（Ｑｏｕｔ）未満であると検出されると）、以下が実行される。
【００５７】
上記両方の場合において、ＵＥ  Ｌ１が非同期を示し、非同期に対するＬ３タイマ（ＬＴＥにおいてＴ３１０を称される）が始動すると、イントラ周波数、インター周波数、およびＲＬＭ間の間隔共有が、ＲＬＭにより多くの間隔が使用されるように変更される。一例として、全ての間隔がＲＬＭ測定に使用される。別の例として、イントラ周波数測定に対して最大限可能な間隔共有が利用され、正確なネットワーク設定が無視される。
【００５８】
一手法において、このような間隔共有の挙動は、ネットワーク構成可能であってもよく、別の手法では、固定ＵＥ挙動であってもよい。
【００５９】
あるいは、Ｌ３タイマ始動前でも、非同期が検出されると、全ての間隔共有がキャンセルされる。このような代替構成でも、ネットワーク構成可能であってもよい。
【００６０】
すなわち、言い換えると、非同期が検出されると、間隔共有が適用されず、ＲＬＭ測定のみが全ての利用可能な間隔で実施される。
【００６１】
一態様において、ＵＥは、ＵＥ側で当該イベント（非同期検出および間隔共有ルール変更）が発生すると、ネットワークへの報告をトリガしてもよい。これにより、必要に応じて採り得る対応をネットワークが実行可能となる。
【００６２】
さらなる実施形態によると、リンク品質が特定の閾値未満であることを判定することで、リンク品質が十分でないと検出してもよい。すなわち、例えばＵＥ１がＬ１におけるリンク品質をモニタリングし、リンク品質が特定の閾値（例えばＱｏｕｔ）であれば、Ｌ１が、Ｌ３に非同期を示す。
【００６３】
さらに、低無線リンク品質であることから測定間隔方式が変更された後、無線リンク品質の回復がしたと検出されると、ＵＥは、低無線リンク品質の検出前に適用されていた測定間隔方式に戻してもよい。
【００６４】
例えば、リンク品質が特定の閾値を下回ると判定された後に、無線リンク品質の回復が、リンク品質不十分を判定するための前記特定の閾値よりも高い別の閾値（例えばＱｉｎ）を超えたことが検出されると、ＵＥはリンクが回復したと見なしてもよい。その後、無線リンク品質の問題が検出される前に適用されていた元の測定間隔共有方式が再度適用可能である。この判定は、非同期がＬ１から受信された後にＬ３で始動するタイマを使用して実行されてもよい。
【００６５】
さらに、本発明の一部の実施形態によると、無線リンク品質の変更に伴う間隔共有方式の変更は、ネットワーク構成可能であってもよい。
【００６６】
したがって、提案された方式は、イントラ周波数、インター周波数、およびＲＬＭ測定に対して、単一の測定間隔パターンの共有を可能にする。ＲＬＭに特化した間隔となることが回避される。
【００６７】
さらに、非同期タイマ始動時に、ＲＬＭにより多くの間隔が使用される間隔の再共有により、タイミングよくリンク回復が実現可能となる。そうでなければ、ＵＥは測定の機会が不十分であることで、リンク回復をタイミングよく検出不能となり得る。
【００６８】
本発明は、上述の特定の実施形態に限定されず、様々な変形が可能である。
【００６９】
例えば、上述の実施形態では、ＮＲに対する間隔共有方式が説明された。しかし、間隔共有方式が同期信号ブロックに基づいて構成可能であれば、同方式は、任意の無線技術に適用可能である。特に、同方式はＬＴＥにも適用されてもよい。
【００７０】
一般に、ＵＥの様々な実施形態としては、これらに限定されるものではないが、移動局、携帯電話、無線通信能力を有する携帯用情報端末（Personal Digital Assistant：ＰＤＡ）、無線通信能力を有するポータブルコンピュータ、無線通信能力を有するデジタルカメラ等の画像捕捉デバイス、無線通信能力を有するゲーム用デバイス、無線通信能力を有する音楽記憶再生機器、無線インターネットアクセスおよびブラウジングを可能にするインターネット機器、ならびにそのような機能の組合せを組み入れたポータブルユニットまたは端末を挙げることができる。
【００７１】
メモリ１２は、ローカルな技術的環境に適した任意の種類であってもよく、半導体型メモリデバイス、磁気メモリデバイスおよびシステム、光学メモリデバイスおよびシステム、固定式メモリ、着脱式メモリ等、任意の適切なデータ記憶技術により実現されてもよい。プロセッサ１１は、ローカルな技術的環境に適した任意の種類であってもよく、汎用コンピュータ、専用コンピュータ、マイクロプロセッサ、デジタル信号プロセッサ（Digital Signal Processor：ＤＳＰ）、マルチコアプロセッサのアーキテクチャに基づくプロセッサの内の１つ以上を含んでもよいが、これらはあくまでも非限定的な例である。
【００７２】
本願において使用される「回路（circuitry）」という用語は、次の全てを表す。
（ａ）ハードウェアのみの回路実装（アナログおよび／またはデジタル回路のみの実装等）、
（ｂ）回路とソフトウェア（および／またはファームウェア）の組合せ、例えば（適用可能である場合）、（ｉ）１つまたは複数のプロセッサの組合せ、または（ｉｉ）１つまたは複数のプロセッサ／ソフトウェア（デジタル信号プロセッサを含む）、ソフトウェア、１つまたは複数のメモリの一部（これらは協働して、携帯電話やサーバ等の装置に様々な機能を実行させる）、
（ｃ）１つまたは複数のマイクロプロセッサやその一部等の回路であって、動作するためにソフトウェアやファームウェアを必要とする回路（ソフトウェアやファームウェアは物理的に存在しなくてもよい）。
【００７３】
この「回路」の定義は、特許請求の範囲を含む本願において、この用語を使う全ての場合において適用される。さらなる例として、本願で使用される場合、「回路」という用語は、１つまたは複数のプロセッサのみの実装や、プロセッサの一部とこれに付随するソフトウェアおよび／またはファームウェアとによる実装も網羅する。「回路」という用語はまた、例えば、特許請求の範囲に記載される特定の要素に適用可能な場合、携帯電話のベースバンド集積回路やアプリケーション処理集積回路、またはサーバやセルラネットワークデバイス、その他のネットワークデバイスにおける同様の集積回路も網羅する。
【００７４】
上述の説明は本発明を例示するものであり、本発明を限定するものと解釈されるべきでないことが理解されよう。添付の特許請求の範囲に定義された本発明の主旨および範囲を逸脱することなく、様々な変更や応用が可能であることが当業者には自明であろう。
【図１】
2021503246.tif 000003
【図２】
2021503246.tif 000004
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
少なくとも１つのプロセッサと、コンピュータプログラムコードを有する少なくとも１つのメモリとを備え、前記コンピュータプログラムコードは、前記少なくとも１つのプロセッサによって実行されると、前記装置に少なくとも、
無線リンクモニタリング測定、イントラ周波数測定、およびインター周波数測定間で測定間隔を共有することによって測定間隔共有方式を提供することであって、前記提供することは、前記無線リンクモニタリング測定用の無線リンクモニタリング参照信号の構成と、前記イントラ周波数測定に使用される同期信号ブロックおよび／またはその他の参照信号の構成とに基づく、前記提供することと；
前記測定間隔共有方式に基づいて、前記無線リンクモニタリング測定、前記イントラ周波数測定、および前記インター周波数測定を含む測定を行うことと；
を遂行させるように構成される、装置。
【請求項２】
前記無線リンクモニタリング測定、前記イントラ周波数測定、前記およびインター周波数測定間の前記測定間隔共有方式は、サービングセルの無線リンク品質に基づいて変更される、請求項１に記載の装置。
【請求項３】
前記無線リンクモニタリング測定および前記イントラ周波数測定によって共有される測定間隔が前記インター周波数測定においては使用されないように前記測定間隔共有方式が生成される、請求項１に記載の装置。
【請求項４】
前記同期信号ブロックおよび前記その他の参照信号が同じキャリア周波数にある場合、前記無線リンクモニタリング測定および前記イントラ周波数測定に同じ測定間隔が使用されるように前記測定間隔共有方式が生成される、
請求項１に記載の装置。
【請求項５】
前記同期信号ブロックおよび前記その他の参照信号が異なるキャリア周波数にある場合、前記無線リンクモニタリング測定および前記イントラ周波数測定が前記インター周波数測定に使用されていない測定間隔を共有するように前記測定間隔共有方式が生成される、
請求項１に記載の装置。
【請求項６】
前記コンピュータプログラムコードは、前記少なくとも１つのプロセッサによって実行されると、前記装置にさらに、
前記無線リンク品質が閾値より低い場合、前記無線リンクモニタリング測定に使用される間隔の数を増加させることと；
前記無線リンク品質が前記閾値より低い場合、前記イントラ周波数測定用に可能な最大間隔数まで、前記無線リンクモニタリング測定に使用される間隔の数を増加させることと；
前記無線リンク品質が前記閾値より低い場合、前記測定間隔の共有をキャンセルし、全間隔を前記無線リンクモニタリング測定に使用することと；
のいずれかを遂行させるように構成される、請求項２に記載の装置。
【請求項７】
前記コンピュータプログラムコードは、前記少なくとも１つのプロセッサによって実行されると、前記装置にさらに、
ネットワークに対して、前記無線リンク品質が閾値より低いこと、および前記測定間隔共有方式が変更されたことを報告することを実施させるように構成される、
請求項６に記載の装置。
【請求項８】
前記コンピュータプログラムコードは、前記少なくとも１つのプロセッサによって実行されると、前記装置にさらに,
低無線リンク品質であることから前記測定間隔方式が変更された後、前記無線リンク品質が回復したと検出されると、前記低無線リンク品質の検出前に適用されていた測定間隔方式に戻すことを実施させるように構成される、
請求項２に記載の装置。
【請求項９】
無線リンクモニタリング測定、イントラ周波数測定、およびインター周波数測定間で測定間隔を共有することによって測定間隔共有方式を提供することであって、前記提供することは、前記無線リンクモニタリング測定用の無線リンクモニタリング参照信号の構成と、前記イントラ周波数測定に使用される同期信号ブロックおよび／またはその他の参照信号の構成とに基づく、前記提供することと；
前記測定間隔共有方式に従って、前記無線リンクモニタリング測定、前記イントラ周波数測定、および前記インター周波数測定を含む測定を行うことと；
を含む方法。
【請求項１０】
前記無線リンクモニタリング測定、前記イントラ周波数測定、前記およびインター周波数測定間の前記測定間隔共有方式は、サービングセルの無線リンク品質に基づいて変更される、請求項９に記載の方法。
【請求項１１】
前記無線リンクモニタリング測定および前記イントラ周波数測定によって共有される測定間隔が前記インター周波数測定においては使用されないように前記測定間隔共有方式が生成される、請求項９に記載の方法。
【請求項１２】
前記同期信号ブロックおよび前記その他の参照信号が同じキャリア周波数にある場合、前記無線リンクモニタリング測定および前記イントラ周波数測定に同じ測定間隔が使用されるように前記測定間隔共有方式が生成される、請求項９に記載の方法。
【請求項１３】
前記同期信号ブロックおよび／または前記その他の参照信号が異なるキャリア周波数にある場合、前記無線リンクモニタリング測定および前記イントラ周波数測定が前記インター周波数測定に使用されていない測定間隔を共有するように前記測定間隔共有方式が生成される、請求項９に記載の方法。
【請求項１４】
前記無線リンク品質が閾値より低い場合、前記無線リンクモニタリング測定に使用される間隔の数を増加させることと； 
前記無線リンク品質が前記閾値より低い場合、前記イントラ周波数測定用に可能な最大間隔数まで無線リンクモニタリング測定に使用される間隔の数を増加させることと；
前記無線リンク品質が前記閾値より低い場合、前記測定間隔の共有をキャンセルし、全間隔を前記無線リンクモニタリング測定に使用することと；
のいずれかをさらに含む、請求項１０に記載の方法。
【請求項１５】
ネットワークに対して、前記無線リンク品質が閾値より低いこと、および前記測定間隔共有方式が変更されたことを報告することをさらに含む、請求項１４に記載の方法。
【請求項１６】
低無線リンク品質であることから前記測定間隔方式が変更された後、前記無線リンク品質が回復したと検出されると、前記低無線リンク品質の検出前に適用されていた測定間隔方式に戻すことをさらに含む、請求項１０に記載の方法。
【請求項１７】
装置の処理手段に実行されると、前記装置に少なくとも、
無線リンクモニタリング測定、イントラ周波数測定、およびインター周波数測定間で測定間隔を共有することによって測定間隔共有方式を提供することであって、前記提供することは、前記無線リンクモニタリング測定用の無線リンクモニタリング参照信号の構成と、前記イントラ周波数測定に使用される同期信号ブロックおよび／またはその他の参照信号の構成とに基づく、前記提供することと；
前記測定間隔共有方式に従って、前記無線リンクモニタリング測定、前記イントラ周波数測定、および前記インター周波数測定を含む測定を行うことと；
を遂行させる命令を含む、コンピュータプログラム。
【請求項１８】
前記無線リンクモニタリング測定、前記イントラ周波数測定、前記およびインター周波数測定間の前記測定間隔共有方式は、サービングセルの無線リンク品質に基づいて変更される、請求項１７に記載のコンピュータプログラム。
【請求項１９】
前記無線リンクモニタリング測定および前記イントラ周波数測定によって共有される測定間隔が前記インター周波数測定においては使用されないように前記測定間隔共有方式が生成される、請求項１７に記載のコンピュータプログラム。
【請求項２０】
前記同期信号ブロックおよび前記その他の参照信号が同じキャリア周波数にある場合、前記無線リンクモニタリング測定および前記イントラ周波数測定に同じ測定間隔が使用されるように前記測定間隔共有方式が生成される、請求項１７に記載のコンピュータプログラム。
【国際調査報告】
2021503246.tif 000005
2021503246.tif 000006